(57)【要約】【課題】対象とする物品に容易に無線チップを取り付けられるものを発明することを課題とする。【解決手段】ステープルに１以上の無線チップを添付する。前記ステープルを逆U字形に見た場合、前記ステープルの桁部の下側や上側の中央部に無線チップを添付する。桁部の上側の中央部に添付した前記ステープルを利用するステープラーは、ステープルを押し出すステープラーのプレートの先端部が無線チップに当たらないように、前記先端部に凹み部を備える。【選択図】  図１
2005271090.tif 000002
【特許請求の範囲】
【請求項１】
ステープルであって、１以上の無線チップを添付した、ことを特徴とするステープル。
【請求項２】
前記ステープルの両脚部を連結した桁部の下側に、前記１以上の無線チップを添付した、ことを特徴とする請求項１記載のステープル。
【請求項３】
前記ステープルの両脚部を連結した桁部の上側中央部に、前記１以上の無線チップを添付した、ことを特徴とする請求項１記載のステープル。
【請求項４】
請求項３記載のステープルを利用するためのステープラーであって、ステープルを押し出すプレートの先端部の中央部に凹み部を備えた、ことを特徴とするステープラー。
【発明の詳細な説明】
【技術分野】
【０００１】
本発明は、無線チップを添付したステープル及びステープラーに関する。
【背景技術】
【０００２】
現在、RFID（Radio Frequency Identification System）に用いる超小型のIC（集積回路）チップと、無線通信用のアンテナを組み合わせた無線チップ（ICタグとも言う。）が注目を集めている。非接触で、ICチップのデータを読み取ったり、書き込んだりする場合は、リーダー/ライターを用いる。無線チップは管理対象とする有体物に貼り付けられたり、埋め込まれたりする。例えば、回転寿司の皿、食品、宅配荷物、航空貨物、手荷物、ブランド物、保守対象機器、書籍、会員カード、有価証券、家畜、愛玩動物、人間、等に取り付け、それらのものを対象として、在庫や物流の管理、トレーサビリティとしての生産・流通の履歴管理、偽造防止、等に利用している。しかし、無線チップの利用はまだ初期の段階であり、さらに工夫が重ねられた利用方法の開発が求められている。それに対して、ステープル及びステープラーについては、よく知られている。
【０００３】
特許公開２００２−２９７０４０では、樹脂に包囲されたＩＣチップシートの表面側に軟接着層を介して表示シートを有することを特徴とするＩＣチップ付箋、が提案されている。
【０００４】
特許公開２００２−３４２５１９では、非接触ICチップを装着した用紙を用いて、質問機を内蔵したプリンタからＩＣチップのＩＤ情報を読み取ることが出来るようにした、とされている。
【０００５】
特開２００１−０３９０６０では、ＩＣチップ並びに当該ＩＣチップに静電結合方式でアクセス自在とする第１及び第２のアンテナを具備するチップ保持シートであって、当該ＩＣチップと当該第１及び第２のアンテナの少なくとも一方と分離自在とするミシン目を具備するチップ保持シートと、当該チップ保持媒体上に接着され、所定の情報を印刷又は記入される記録シートと、当該チップ保持シートの下面を所定箇所に接着する接着シートとを具備するＩＣラベル、が提案されている。
【０００６】
特許公開２０００−２８５２０３では、中央処理装置は、文書データを画素データに変換してICチップ入りペーパの紙部分に印刷するとともに、文書データを予め規定した形式の電子データに変換してリーダライタでICチップ入りペーパのIC部分に記録する。
【０００７】
チップを自動車のタイヤに埋め込み、タイヤの磨耗によりチップが失われたことを検知しようとするアイデアが提案されている。また、チップを紙幣や有価証券に漉き込むアイデアが提案されている。
【特許文献１】特許公開２０００−２８５２０３
【特許文献２】特許公開２００１−０３９０６０
【特許文献３】特許公開２００２−２９７０４０
【特許文献４】特許公開２００２−３４２５１９
【発明の開示】
【発明が解決しようとする課題】
【０００８】
上記のように、無線チップについては、様々な分野への利用方法が提案されている。しかし、その取り付けは、ICチップとアンテナをシート上に搭載してラベル形状にしたものを対象とする物品に粘着することにより行っている。ラベルを貼り付ける機械を保有していない利用者の立場では、手で剥離紙からラベルを剥がして対象とする物品に貼り付けることになるが、面倒である。本発明は、より簡単に対象とする物品に無線チップを取り付けるためのものを発明することを課題とする。
【課題を解決するための手段】
【０００９】
上記の課題を解決するため、以下の手段を発明した。
【００１０】
請求項１の発明は、ステープルであって、１以上の無線チップを添付した、ことを特徴とするステープル、である。
【００１１】
請求項２の発明は、前記ステープルの両脚部を連結した桁部の下側に、前記１以上の無線チップを添付した、ことを特徴とする請求項１記載のステープル、である。
【００１２】
請求項３の発明は、前記ステープルの両脚部を連結した桁部の上側中央部に、前記１以上の無線チップを添付した、ことを特徴とする請求項１記載のステープル、である。
【００１３】
請求項４の発明は、請求項３記載のステープルを利用するためのステープラーであって、ステープルを押し出すプレートの先端部の中央部に凹み部を備えた、ことを特徴とするステープラー、である。
【発明の効果】
【００１４】
本発明により、次の効果がある。
【００１５】
請求項１の発明により、より簡単に対象とする物品に無線チップを取り付けることができる。そして、ステープル20でとめた有体物を無線チップ10のリーダー/ライターを備えたシステムで管理することができる。例えば、書類をチップ付きステープル20で綴じることにより、１枚以上の書類をまとめ、無線チップ10のリーダー/ライターを備えたコンピュータで管理することができる。
【００１６】
請求項２の発明により、ステープルに添付した無線チップが、取り付けの対象とする物品やステープラーのプレートから直接的な力を受けることを避けられ、ステープルに添付した無線チップの破損の可能性を小さくすることができる。
【００１７】
請求項３の発明により、ステープルの桁部の上側に無線チップを添付したステープルを、ステープラーにセットするとき、セットするステープルの前後左右を気にしなくてもよい。
【００１８】
請求項４の発明により、桁部の上側に無線チップを添付したステープルであっても、圧力による破損を避けて、ステープラーから押し出すことが可能となる。
【発明を実施するための最良の形態】
【００１９】
本発明の実施の形態について、以下、詳細に説明する。
【００２０】
＜定義＞
本発明において、無線チップとは、非接触のICチップと、外付けした又は一体化したアンテナを備え、RFID(Radio Frequency Identification)に用いられるものである。無線チップは無線チップのリーダー/ライター（読取/書込装置）からのアクセスに対して、通常少なくとも当該無線チップに与えられた固有のコード（ID）を応答する。
【００２１】
本発明において、ステープル(staple)とは、Ｕ字形（又はコの字形とも言う。）の止め金である。書類に打ち込んでとじあわせたり、箱の形を保持したり、壁紙を壁面に止めたり、物体を他の物体に止めるために使われるコの字形（又はＵ字形）の針（ホチキス（登録商標）針とも言う。）又は電気工事等で使用される電気コード等を取り付けるのに使う釘である。ステープルの材質は金属であることが多いが、限定しない。ステープルは、ステープラー(stapler)等の専用装置で対象とする物品に止めたり、ハンマーを用いて叩き込んだりする。書類をとめるステープルは通常、ステープルを連結したステープル連結体に形成されて取り扱われることが多い。
【００２２】
＜請求項１の発明＞
請求項１の発明は、「ステープルであって、１以上の無線チップを添付した、ことを特徴とするステープル。」である。
【００２３】
本発明は、図１に例示するように、ステープル20に１以上の無線チップ10を添付するものである。
【００２４】
無線チップ10の添付には、直接的な貼り付け、無線チップ10を添付したラベル等による間接的な貼り付け、はめ込み、埋め込み、及び着脱自在に取り付けること、を含む。間接的な場合、無線チップ10と直接添付される有体物（基材）との間に電波や磁束を遮断又は反射する層を設けてもよい。また、無線チップの固定や保護等のため、無線チップを覆うように電波や磁束を透過する層を設けてもよい。
【００２５】
本発明では、無線チップ10をステープル20に取り付けることを添付と言うが、さらに、無線チップ10を添付したステープル20で書類を綴じる場合も、書類に対するステープル20による間接的な無線チップ10の添付である。添付の対象は用紙を含む有形の物品（有体物）である。
【００２６】
ステープル20への無線チップ10の添付は、製造工程において添付される場合と、利用者が後から添付する場合がある。本発明における添付は、ステープル20のサイズにもよるが、書類を綴じるようなステープル20は小さくて細く、通常、製造段階で添付することとなろう。予め添付する場合も、後で添付する場合も、取り外しが容易でないように添付する場合と、取り外しが容易なように添付する場合と、がある。取り外しが容易な場合は、添付対象との関係は保証されないが、取り外した無線チップ10を再利用できる場合がある。
【００２７】
無線チップ10をステープル20に取り付ける場合、図４に例示したように、ステープル20は他のステープル20とステープル20連結体26を形成することが多いので、ステープル20が相互に連結する連結面25を避けて取り付けることになるだろう。
【００２８】
無線チップ10を添付する目的は、主に添付対象の有体物を管理対象とするためである。また、「１以上の無線チップ」とするのは、代替予備、２重化、バックアップ、機能補完、等のために、複数の無線チップ10を添付する場合があるからである
【００２９】
なお、外付けアンテナの場合、ステープル20に沿わせてアンテナを配置してもよい。また、ステープル20の全体又は一部の材質によってはアンテナとして兼用することが考えられる。
【００３０】
本発明により、より簡単に対象とする物品に無線チップを取り付けることができる。そして、ステープル20でとめた有体物を無線チップ10のリーダー/ライターを備えたシステムで管理することができる。例えば、書類をチップ付きステープル20で綴じることにより、１枚以上の書類をまとめ、無線チップ10のリーダー/ライターを備えたコンピュータで管理することができる。
【００３１】
＜請求項２の発明＞
請求項２の発明は、「前記ステープルの両脚部を連結した桁部の下側に、前記１以上の無線チップを添付した、ことを特徴とする請求項１記載のステープル。」である。
【００３２】
本発明は、図２に例示するように、ステープル20の両方の脚部21を連結する桁部22の下側24（内側、内面）に、１以上の無線チップ10を添付するものである。
【００３３】
ステープル20を逆Ｕ字形と見た場合、その両方の脚部21は対象とする用紙等の物品に差し込まれ又は貫通するときに抵抗を受ける。また、両方の脚部21は貫通後も折り曲げられる力がかかる場合がある。これらのことにより、両方の脚部21に添付した無線チップ10は破損する可能性があるから、無線チップ10は両方の脚部21ではなく、両方の脚部21を連結している桁部22に設けるのが好ましい。しかし、桁部22の上側23（外側、上面）は、図４に例示するように、ステープラーのプレート30から直接力を受けるから、直接力を受けないように、その下側24（内側）に無線チップ10を設けるのが好ましい。つまり、逆Ｕ字形に形成された３辺の中心の辺（桁部22）の下側24（内側、内面）に無線チップ10を添付するものである。
【００３４】
本発明により、ステープル20に添付した無線チップ10が、取り付けの対象とする物品やステープラーのプレート30から直接的な力を受けることを避けられ、ステープル20に添付した無線チップ10の破損の可能性を小さくすることができる。
【００３５】
＜請求項３の発明＞
請求項３の発明は、「前記ステープルの両脚部を連結した桁部の上側中央部に前記１以上の無線チップを添付した、ことを特徴とする請求項１記載のステープル。」である。
【００３６】
本発明は、図３に例示するように、ステープル20の両方の脚部21を連結する桁部22の上側23（外側、上面）の中央部に１以上の無線チップ10を取り付けるものである。
【００３７】
ステープル20の桁部22の上側23に無線チップ10を取り付ける場合は、図４に例示するように、ステープラーのプレート30がステープル20を押す力が直接無線チップ10に当たらないよう、ステープラーがステープル20を押すプレート30の先端部31に凹み部32を設ける必要がある。この場合、無線チップ10は桁部22の中央部に置くのが好ましい。なぜなら、中央部から離れたところに無線チップ10を添付すると、左右の重さがアンバランスとなる影響が発生することが考えられることと、その影響を無視できるとしても、形が左右非対称になり、ステープラーにセットするとき、方向を意識しなければならなくなるからである。
【００３８】
本発明により、ステープル20の桁部22の上側23に無線チップ10を添付したステープル20を、ステープラーにセットするとき、セットするステープル20の前後左右を気にしなくてもよい。
【００３９】
＜請求項４の発明＞
請求項４の発明は、「請求項３のステープルを利用するためのステープラーであって、ステープルを押し出すプレートの先端部の中央部に凹み部を備えた、ことを特徴とするステープラー。」である。
【００４０】
本発明は、図４に例示するように、請求項３に記載したステープル20を利用するためのステープラーについて、ステープル20を押し出すプレート30の先端部31の中央部に凹み部32を備えるものである。目的は、プレート30からの力が、ステープル20の桁部22の上側23に添付した無線チップ10に加わらないようにするためである。
【００４１】
本発明により、桁部22の上側23に無線チップ10を添付したステープル20であっても、圧力による破損を避けて、ステープラーから押し出すことが可能となる。
【図面の簡単な説明】
【００４２】
【図１】請求項１記載のステープルを例示した図である。
【図２】請求項２記載のステープルを例示した図である。
【図３】請求項３記載のステープルを例示した図である。
【図４】請求項４記載のステープラーのプレートを例示した図である。
【符号の説明】
【００４３】
10  無線チップ
20  ステープル
21  脚部
22  桁部
23  上側
24  下側
25  連結面
26  ステープルの連結体
30  ステープラーのプレート
31  先端部
32  凹み部
【図１】
2005271090.tif 000003
【図２】
2005271090.tif 000004
【図３】
2005271090.tif 000005
【図４】
2005271090.tif 000006